(57)【特許請求の範囲】
【請求項１】
構造物周辺の歩道における区分けされた領域に設けられ、前記領域を通り抜ける風を感知する風感知装置と、
前記風感知装置の感知結果を報知する報知装置と、
を有し、
前記報知装置は、前記感知結果に応じて発光する発光体であり、
前記発光体は、前記歩道に埋め込まれていることを特徴とする風情報報知システム。
【請求項２】
請求項１に記載の風情報報知システムであって、
複数の前記領域に当該領域毎に設けられ、
前記報知装置は、各々の前記領域に設けられた前記風感知装置による当該領域毎の感知結果を報知することを特徴とする風情報報知システム。
【請求項３】
請求項１または請求項２に記載の風情報報知システムであって、
前記風感知装置は、前記領域における風の有無を感知し、
前記報知装置は、前記領域における風の有無を報知することを特徴とする風情報報知システム。
【請求項４】
請求項１乃至請求項３のいずれかに記載の風情報報知システムであって、
前記風感知装置は、前記領域における風の強弱を感知し、
前記報知装置は、前記領域における風の強弱を報知することを特徴とする風情報報知システム。
【請求項５】
請求項１乃至請求項４のいずれかに記載の風情報報知システムであって、
前記風感知装置は、前記風により、前記発光体に対する電力の供給又は遮断を切り替えるスイッチであることを特徴とする風情報報知システム。
【請求項６】
請求項５に記載の風情報報知システムであって、
前記発光体は、前記風の強弱により点滅速度が変化することを特徴とする風情報報知システム。
【発明の詳細な説明】
【技術分野】
【０００１】
本発明は、風を感知して感知結果を報知する風情報報知システムに関する。
【背景技術】
【０００２】
風を感知して感知結果を報知する風情報報知システムとしては、例えば、ビルの屋上等に設置された風向風速計にて感知した風向風速等を、所定の制御装置を介して、通行者等から見える位置に設けた電子表示部等に表示する風情報報知システムが知られている。
【発明の概要】
【発明が解決しようとする課題】
【０００３】
しかしながら、上述した風情報報知システムは、風情報の表示を見る通行者が通る位置と、風向風速計等が設置された位置とが大きく離れており、また環境も相違するため、表示部に表示された情報と通行者が感じる風とが相違して通行者に有効な情報を報知することができない。
【０００４】
本発明は、上記課題に鑑みてなされたものであり、その目的とするところは、所定の領域における風情報を報知することが可能な風情報報知システムを提供することにある。
【課題を解決するための手段】
【０００５】
かかる目的を達成するために本発明の風情報報知システムは、構造物周辺の歩道における区分けされた領域に設けられ、前記領域を通り抜ける風を感知する風感知装置と、前記風感知装置の感知結果を報知する報知装置と、を有し、前記報知装置は、前記感知結果に応じて発光する発光体であり、前記発光体は、前記歩道に埋め込まれていることを特徴とする風情報報知システムである。
【０００６】
かかる風情報報知システムであって、複数の前記領域に当該領域毎に設けられ、前記報知装置は、各々の前記領域に設けられた前記風感知装置による当該領域毎の感知結果を報知することが望ましい。  
このような風情報報知システムによれば、構造物周辺が区分けされた複数の領域に各々設けられた風感知装置により感知された各領域の感知結果が報知装置に報知されるので、各領域に応じた、より適切な風情報を報知することが可能である。
【０００７】
かかる風情報報知システムであって、前記風感知装置は、前記領域における風の有無を感知し、前記報知装置は、前記領域における風の有無を報知することが望ましい。  
このような風情報報知システムによれば、風情報として、風感知装置が設けられている領域における風の有無を報知することが可能である。
【０００８】
かかる風情報報知システムであって、前記風感知装置は、前記領域における風の強弱を感知し、前記報知装置は、前記領域における風の強弱を報知することとしてもよい。  
このような風情報報知システムによれば、風情報として、風感知装置が設けられている領域における風の強弱を報知することが可能である。そして、区分けされた領域が複数ある場合には、各々の領域間における風の強弱の違いや風の強弱が変化する様子も報知することが可能である。
【０００９】
かかる風情報報知システムであって、前記風感知装置は、前記風により、前記発光体に対する電力の供給又は遮断を切り替えるスイッチであることが望ましい。  
このような風情報報知システムによれば、風感知装置が発光体に対する電力の供給又は遮断を切り替えるスイッチなので、風が吹くことにより発光体への電力の供給又は遮断されて切り替えられることにより、風情報をリアルタイムにて容易に報知することが可能である。また、構成が簡単なので安価に風情報報知システムを実現することが可能である。
【００１０】
かかる風情報報知システムであって、前記発光体は、前記風の強弱により点滅速度が変化することが望ましい。  
このような風情報報知システムによれば、簡単で安価な風情報報知システムにより、各領域の風の強弱を報知することが可能である。
【発明の効果】
【００１１】
本発明によれば、所定の領域における風情報を報知することが可能な風情報報知システムを提供することが可能である。
【図面の簡単な説明】
【００１２】
【図１】本発明の一実施例にかかる風情報報知システムを説明するための図である。
【図２】風情報報知装置の構成を説明するための回路図である。
【図３】風感知装置の一例を説明するための斜視図である。
【発明を実施するための形態】
【００１３】
以下、本発明の実施の形態について図を用いて詳細に説明する。  
図１は、本発明の一実施例にかかる風情報報知システムを説明するための図である。
【００１４】
本実施形態の風情報報知システム１は、図１に示すように、ビル２などの構造物周辺となる、例えば歩道３などを複数（ここでは３つ）の領域３ａ、３ｂ、３ｃに区分けし、区分けされた各々の領域３ａ、３ｂ、３ｃに対応させて各々、風感知装置１０と、風感知装置１０の感知結果を報知するための報知装置としてのＬＥＤパネル５５と、が設けられている。すなわち、区分けされた各領域３ａ、３ｂ、３ｃには、電源５２（図２）と風感知装置１０を介して接続されたＬＥＤパネル５５を有する風情報報知装置５が設けられ、風情報報知システム１は、領域の数に対応させて複数の風情報報知装置５を有している。各領域３ａ、３ｂ、３ｃに設けられた風情報報知装置５の構成は、ＬＥＤパネル５５の数が相違する他は同じなので、ここでは１つの領域３ａに設けられた風情報報知装置５について説明する。
【００１５】
図２は、風情報報知装置の構成を説明するための回路図である。図２においては、電源５２として直流電源を示しているが、具体的には、屋外に配線された交流電源と接続されており、交流電源をダイオードで全波整流し、コンデンサで平滑化（直流化）して、直流電圧に変換する、所謂アダプター(不図示)を介して接続されている。  
図２に示すように、風情報報知装置５は、電源５２と、風感知装置１０と、発光体としてのＬＥＤパネル５５とを有している。
【００１６】
図３は、風感知装置の一例を説明するための斜視図である。図３においては、風感知装置の構成を説明するため、一部を破断して示している。
【００１７】
風感知装置１０は、内部に空間２０ａを備えた円柱状のケーシング２０と、ケーシング２０の上部に揺動自在に支持されるとともに、ケーシング２０内の空間２０ａに設けられた受風部３０と、を有している。
【００１８】
ケーシング２０は、空間２０ａの上部に位置する樹脂製の上部円盤２１と、上部円盤２１と互いに間隔を隔てて下方に配置される樹脂製の底部円盤２２と、上部円盤２１と底部円盤２２との間を周方向に覆う網状部材２３と、を有している。上部円盤２１と底部円盤２２とは、同一外径をなす円盤状の部材である。そして、上下に間隔を隔てて配置された上部円盤２１と底部円盤２２の外周部を囲む網状部材２３により、上部円盤２１と底部円盤２２との間にて網状部材２３に囲まれた空間２０ａが形成されている。そして、上部円盤２１と底部円盤２２との間は、網状部材２３を通して風が吹き抜けるように構成されている。
【００１９】
上部円盤２１の中央には、ケーシング２０の外部と空間２０ａとを連通する孔部２１ａが鉛直方向に沿って設けられている。また、上部円盤２１の下面２１ｂ側には、環状をなす金属製のリング部材２４が設けられている。リング部材２４は、孔部２１ａと同心に配置され、リング部材２４の内径は、孔部２１ａの内径とほぼ同じ大きさをなしている。また、リング部材２４には、電源５２(図２)と接続された２本の電源ライン５０のうちの一方が接続されている。
【００２０】
受風部３０は、上部円盤２１の孔部２１ａから空間２０ａに挿入されて吊り下げられるロッド部３１と、ロッド部３１の周りに放射状に設けられて風を受ける複数（ここでは４枚）の受風板３２と、を有している。ロッド部３１は、金属製の丸棒状の部材であり、上端部３１ａが上部円盤２１の孔部２１ａの内径より大きな外径をなし、上端部３１ａより下側の軸部３１ｂは孔部２１ａの内径より十分に小さな外径をなしている。また、上端部３１ａと軸部３１ｂとの境界部は、外径が下方に向かって順次小さくなるテーパーをなすテーパー部３１ｃが設けられている。そして、受風部３０がケーシング２０に装着された状態では、軸部３１ｂが孔部２１ａに上方から挿入されてテーパー部３１ｃが孔部２１ａの上縁に係合されることにより、受風部３０が揺動自在に支持される。このとき、ロッド部３１は、孔部２１ａの上縁とテーパー部３１ｃにて係合されるため、ロッド部３１の中心軸は、孔部２１ａのほぼ中心に位置している。
【００２１】
ロッド部３１が、孔部２１ａの上縁に係合された状態で、ロッド部３１の上端部３１ａは上部円盤２１の上に突出しており、電源５２と接続された２本の電源ライン５０のうちの他方が接続されている。また、軸部３１ｂには、上部円盤２１及びリング部材２４より下側に、樹脂製の受風板３２が設けられている。
【００２２】
受風部３０がケーシング２０に組込まれた風感知装置１０は、受風部３０が揺動してロッド部３１が傾き、ロッド部３１における受風板３２より上側の部位が、リング部材２４と接触した際に、受風板３２が、上部円盤２１、底部円盤２２、網状部材２３，及び、リング部材２４のいずれにも接触しないように構成されている。
【００２３】
風情報報知装置５は、電源５２と上記風感知装置１０のロッド部３１及びリング部材２４とが電源ライン５０にて接続され、図２に示すように電源５２と風感知装置１０との間に接続されたＬＥＤパネル５５が歩道３の領域３ａに配置される。領域３ａには、７枚のＬＥＤパネル５５が歩道に埋め込まれ、風感知装置１０は、領域３ａ内の植え込み７に配置されている。ここで、区分けされた各領域の範囲内では風の流れが同じになるように、領域が区分けされている。
【００２４】
屋外に配置された風感知装置１０に風が吹き付けると、網状部材２３を通して空間２０ａ内に風が進入する。空間２０ａ内に進入した風を受風板３２が受けることにより受風部３０が揺動する。このとき、風の強さに応じて受風部３０が揺動する大きさが相違する。
【００２５】
受風板３２が風を受けて揺動することにより受風部３０が変位し、ロッド部３１がリング部材２４と接触すると、ＬＥＤパネル５５に電力が供給されて、ＬＥＤパネル５５が発光する。ＬＥＤパネル５５が発光することにより、風が吹いていること、また、ロッド部３１がリング部材２４と接触する程度の風が吹いていることが感知され、感知された情報が歩行者や歩道に居る者に報知される。
【００２６】
このとき、ＬＥＤパネル５５が点滅すると、ロッド部３１がリング部材２４とが接触したり離れたりしている状態なので、比較的弱い風が吹いていることが感知され、感知された情報が歩行者や歩道に居る者に報知される。また、ＬＥＤパネル５５が発光した状態が継続されると、ロッド部３１がリング部材２４とが接触し続けているので点滅した時よりも強い風が吹いていることが感知され、感知された情報が歩行者や歩道に居る者に報知される。
【００２７】
このような、風情報報知装置５が各領域３ａ、３ｂ、３ｃに設けられているので、各領域における風情報がＬＥＤパネル５５により報知される。このとき、風が領域３ａから領域３ｃに向かって吹いた場合には、領域３ａ、領域３ｂ、領域３ｃの順に順次ＬＥＤパネル５５が点灯して、風のながれる方向も報知される。
【００２８】
本実施形態の風情報報知システム１によれば、ビル２周辺が区分けされた複数の領域３ａ、３ｂ、３ｃに各々設けられた風感知装置１０により感知された各領域３ａ、３ｂ、３ｃの感知結果がＬＥＤパネル５５にて報知されるので、各領域３ａ、３ｂ、３ｃにおける、より適切な風情報を報知することが可能である。このとき、ＬＥＤパネル５５は、風の強弱により点滅速度が変化するので、風情報としては、各領域３ａ、３ｂ、３ｃにおける風の有無の情報だけでなく、ＬＥＤパネル５５は、風の強弱による点滅速度の変化により各々の領域３ａ、３ｂ、３ｃにおける風の強さ、及び、各々の領域３ａ、３ｂ、３ｃ間における風の強弱の違いや風の強弱が変化する様子も報知することが可能である。
【００２９】
また、風感知装置１０がＬＥＤパネル５５に対し通電又は非通電を切り替えるスイッチとして機能するので、風感知装置１０が風を受けることによりＬＥＤパネル５５への通電又は非通電が切り替えられるため、簡単で安価な装置にて風情報をリアルタイムで報知することが可能である。
【００３０】
また、受風板３２が受ける風は、網状部材２３を通して空間２０ａ内に進入するので、網目の粗さを変更することにより空間２０ａ内に進入する風量を調節することが可能である。このため、網状部材２３における網目の粗さを変更することにより容易に、所望の強さの風を感知して報知する風情報報知システム１を実現することが可能である。ここで、風感知装置１０の感度を変更する方法としては、リング部材２４とロッド部３１との間隔、受風部３０の質量、受風板３２のサイズを変更することによっても実現することが可能である。
【００３１】
風情報報知システム１は、区分けされた複数の領域毎に風情報を報知することができるので、例えば、歩道を歩いている者は、進行方向において風が強まる領域をＬＥＤパネル５５にて認識することが可能である。このため、歩行者や自転車に乗った者が突然強風に煽られることを防止することが可能である。
【００３２】
また、ＬＥＤパネル５５を歩道に埋め込んだので、「強風注意」などの表示板等が置かれる場合のように歩道の幅が狭められることはなく、また、段差を生じることもなく風情報を報知することが可能である。さらに、報知装置のＬＥＤパネル５５が外部に突出していないので、風切り音や、吹き流しや旗のようにはためく音は発生しないので、美観や環境を害することなく風情報報知システム１を備えることが可能である。
【００３３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００３４】
上記実施形態においては、歩道３を３つの領域に区分けした例について説明したが、区分けされた領域は、１つであっても、また、３つ以外の複数であっても構わない。区分けされた領域が１つの場合には、風情報報知装置５が風情報報知システム１に相当する。そして、特に強風が吹きやすいビルの間などの１つの領域のみに、風情報報知システム１を備えた場合には、例えば、ビルの間などの１つの領域に強風が吹いていることを、美観や環境を害することなくリアルタイムで、当該領域に近づいて来る者に報知することが可能である。
【００３５】
上記実施形態においては、報知装置をＬＥＤパネル５５としたが、報知装置として音楽や音声が発せられる装置を備えていてもよい。
【００３６】
また、各領域に、感度の異なる複数の風感知装置と、各風感知装置に接続された互いに色の異なるＬＥＤパネルを備え、感知された風感知装置毎に異なる強さの風を感知するとともに、発光させるＬＥＤパネル、すなわち、発光色を異ならせることにより、各領域における風の強弱を報知してもよい。
【符号の説明】
【００３７】
１  風情報報知システム、２  ビル、３  歩道、
３ａ  領域、３ｂ  領域、３ｃ  領域、
５  風情報報知装置、１０  風感知装置、
２０  ケーシング、２０ａ  空間、
２１  上部円盤、２１ａ  孔部、２１ｂ  下面、
２２  底部円盤、２３  網状部材、２４  リング部材、
３０  受風部、３１  ロッド部、３１ａ  上端部、
３１ｂ  軸部、３１ｃ  テーパー部、３２  受風板、
５０  電源ライン、５２  電源、５５  ＬＥＤパネル
【図１】
0005504777.tif 000002
【図２】
0005504777.tif 000003
【図３】
0005504777.tif 000004